(57)【特許請求の範囲】
【請求項１】
鳥獣類（Ｂ）の死体を焼却するのに先立ち、一時的に保管するための冷凍設備であって、
内部には、鳥獣類（Ｂ）に寄生した有害生物を駆除する殺虫剤（Ｍ）を噴射するノズル（１３）と、噴射された前記殺虫剤（Ｍ）を拡散させる送風機（２１）と、噴射された前記殺虫剤（Ｍ）の浮遊を測定する監視手段（４３）と、を配置し、
前記殺虫剤（Ｍ）は、コンプレッサー（１１）から供給される空気で前記ノズル（１３）に送り込まれ、
内外を区画する扉（３１）には、閉止状態を維持する施錠具（３２）と、開閉を把握する開閉センサー（３３）と、を配置し、
全体を管理する制御部（４１）により、前記コンプレッサー（１１）と前記送風機（２１）は、前記施錠具（３２）で前記扉（３１）が閉止された場合に限り作動可能で、
且つ前記監視手段（４３）により、前記殺虫剤（Ｍ）の浮遊がない場合に限り前記施錠具（３２）を作動させ、前記扉（３１）を開放可能とすることを特徴とする冷凍設備。
【請求項２】
前記殺虫剤（Ｍ）と併せ、前記ノズル（１３）からは消臭剤（Ｆ）も噴射することを特徴とする請求項１記載の冷凍設備。
【発明の詳細な説明】
【技術分野】
【０００１】
本発明は、捕獲された鳥獣類の死体を焼却するのに先立ち、一時的に保管する際に使用する冷凍設備に関する。
【背景技術】
【０００２】
現在国内では、気候変動や山間地域の過疎化などにより、野生鳥獣の生息域が広がり、人的被害や農業被害がたびたび報道されている。特にニホンジカやイノシシは、近年の暖冬傾向で生息域が北上したほか、国内には目立った天敵が存在せず、頭数が急速に増え、許容できない被害が各地で発生している。このような状況から、地方自治体などで野生鳥獣の駆除が進められており、その一部はジビエとして食用に供されるが、需要も限られるため、大半は埋設処分となっている。しかし駆除頭数の増加により、埋設処分も難しくなりつつあり、一部地域では専用の焼却施設が建設されている。
【０００３】
この焼却施設には、専用の燃焼炉が設置されており、大形の野生鳥獣であっても、骨以外を完全に焼却できるほか、排気についても、法令等に基づき万全の対策を講じてあり、周辺環境を悪化させることもなく、埋設の代替として期待されている。なお焼却施設には、周辺地域から持ち込まれた野生鳥獣を一時的に保管するため、大型の冷凍庫を設置してあり、一定の頭数が集まった時点で一括して焼却を行う。
【０００４】
本願発明と関連のある先行技術の例として、後記特許文献が挙げられる。特許文献１では、燃焼効率と衛生面に優れた動物死体焼却装置とその方法が開示されており、動物死体焼却装置に冷凍設備と破砕手段を備えたことなどを特徴としている。動物死体は、燃焼効率の観点から、事前に破砕することが好ましいものの、破砕の際、血や肉が飛び散り、衛生面などに課題がある。そこで、冷凍設備で凍らせた後に破砕することで、この課題を解消している。
【０００５】
特許文献２では、有害鳥獣等の駆除システムが開示されており、捕獲器を監視する監視装置と、この監視装置と遠隔通信可能な端末装置などを用い、捕獲された有害鳥獣の種類を遠隔地から確認し、最適な駆除手段を検討できることを特徴とする。猪等の有害鳥獣を捕獲する檻や罠は、人里離れた山中に設置することが多く、その維持管理は、重労働で危険も伴う。そこで端末装置により、遠隔地から捕獲器を監視することで、現地作業を必要最低限に留め、作業環境や安全性を向上できる。
【先行技術文献】
【特許文献】
【０００６】
【特許文献１】特開２００１−５０５１７号公報
【特許文献２】特開２００４−９７０１９号公報
【発明の概要】
【発明が解決しようとする課題】
【０００７】
野生鳥獣には、ダニやノミやシラミといった有害生物が寄生しており、前記の焼却施設に無防備な服装で人が立ち入ると、これらの有害生物が身体のあらゆる部分に入り込み、吸血などの身体的被害を引き起こす。そのため作業員は、真夏でも防護服を着るなどの対策を講じており、労働環境も過酷である。なお持ち込まれた野生鳥獣は、焼却に先立ち冷凍庫で保管されるが、ダニなどは鳥獣類の体毛中に潜り込み、一日程度の冷却で完全に死滅することはない。ただしセ氏マイナス３０度程度まで冷却するならば、完全に死滅するが、冷凍庫の電力消費や焼却時のエネルギーが増大するため、実施は困難である。
【０００８】
ダニなどの有害生物は、殺虫剤による駆除が有効である。ただし殺虫剤が外部に高濃度で飛散すると、周辺の自然環境に影響を及ぼす恐れがある。そこで閉鎖空間である冷凍庫内で殺虫剤を使用することが好ましい。冷凍庫内では、殺虫剤の濃度を高めることも容易で、効率的に駆除を進められるが、誤って冷凍庫の扉を開くと、高濃度の殺虫剤が外部に飛散し、吸引による健康被害など、様々なトラブルを引き起こす恐れがある。
【０００９】
本発明はこうした実情を基に開発されたもので、捕獲された鳥獣類の死体を取り扱う際、ダニなどの有害生物による身体的被害を防止でき、また環境面にも優れた冷凍設備の提供を目的としている。
【課題を解決するための手段】
【００１０】
前記の課題を解決するための請求項１記載の発明は、鳥獣類の死体を焼却するのに先立ち、一時的に保管するための冷凍設備であって、内部には、鳥獣類に寄生した有害生物を駆除する殺虫剤を噴射するノズルと、噴射された前記殺虫剤を拡散させる送風機と、噴射された前記殺虫剤の浮遊を測定する監視手段と、を配置し、前記殺虫剤は、コンプレッサーから供給される空気で前記ノズルに送り込まれ、内外を区画する扉には、閉止状態を維持する施錠具と、開閉を把握する開閉センサーと、を配置し、全体を管理する制御部により、前記コンプレッサーと前記送風機は、前記施錠具で前記扉が閉止された場合に限り作動可能で、且つ前記監視手段により、前記殺虫剤の浮遊がない場合に限り前記施錠具を作動させ、前記扉を開放可能とすることを特徴とする冷凍設備である。
【００１１】
本発明による冷凍設備は、捕獲された鳥獣類の死体を焼却するのに先立ち、一時的に保管するためのもので、焼却施設に隣接して設置することを想定しているが、地域の実情によっては、焼却施設から離れて設置することがあるほか、輸送用の車両に組み込むこともある。またいずれの場合においても、ニホンジカやイノシシといった大形獣を多数収納できる規模を想定している。したがってその側面には、フォークリフトなどの作業用車両が通過可能な大きな開口部と、そこを塞ぐ扉を備えるものとする。なお冷凍設備自体は、従来から製品化されている物をそのまま流用する。
【００１２】
冷凍設備内には、ノズルと送風機と監視手段を配置する。ノズルは、殺虫剤を噴射するためのもので、噴射された殺虫剤が無理なく全域に到達できるよう、天井付近に配置することが多い。なお殺虫剤の具体例としては、フェノトリンなどの各種合成ピレスロイドが挙げられる。さらに冷凍設備内は氷点下に維持されるため、殺虫剤は液体ではなく、凍結の恐れのない粉状の物を使用する。
【００１３】
コンプレッサーは、殺虫剤をノズルに送り込む圧縮空気を発生させる装置で、冷凍設備の外に設置し、ノズルとコンプレッサーの間は配管で接続する。そのため配管は、冷凍設備の壁面を貫通する。また圧縮空気中に殺虫剤を混合させるため、配管は、殺虫剤が収容された容器を通過させる。殺虫剤は、配管中の負圧によって自然に引き込まれ、圧縮空気と共にノズルに送り込まれる。
【００１４】
送風機は、内部に噴射された殺虫剤を長時間浮遊させるための役割を担う。殺虫剤は前記のように、主に粉状を想定しており、比較的短時間で床面に沈殿し、その効果が全域に拡散しないことも予想される。そこで送風機を設置して内部に複雑な気流を発生させ、殺虫剤をあらゆる場所に均等に分散させる。なお送風機の効果を高めるため、可動ルーバーなどを装備することもある。
【００１５】
監視手段は、殺虫剤の浮遊状況を把握するため、冷凍設備内の空気の濁り具合を測定する役割を担う。当然ながら、送風機などで殺虫剤が巻き上げられ、浮遊が継続していれば、濁りは大きくなり、また殺虫剤が床面などに沈殿すると、濁りは小さくなる。濁り具合は、刻一刻変化するため、測定結果は、リアルタイムに外部に発信する。なお監視手段の具体例としては、カメラや濁度計が挙げられ、正確な測定ができるよう、必要に応じて光源を組み込む。
【００１６】
扉は、冷凍設備の開口部で、鳥獣類の搬出入などを行う。なお複数頭のニホンジカをパレットに載せ、作業車両で一括して輸送することを想定し、扉は相応の大きさとなることが多い。そして本発明では、扉の開閉状況を常時把握できるよう、開閉センサーを取り付ける。さらに閉じた扉が不用意に開放されないよう、扉の閉止状態を維持する施錠具も設ける。ただし扉の構造は自在で、開き戸や引き戸のいずれでも構わず、施錠具と開閉センサーについても、その目的を達するならば、具体的な構成は自在である。
【００１７】
制御部は、冷凍設備全体の作動を統括する役割を担い、これまでに記載した、コンプレッサー・送風機・監視手段・施錠具・開閉センサーが接続される。したがって、監視手段と開閉センサーからの情報は、常時、制御部が把握している。またコンプレッサーと送風機と施錠具は、制御部からの指令で作動する。なお制御部は、冷凍機の作動や温度管理などの機能も持たせることが多い。
【００１８】
内部に鳥獣類を搬入して扉を閉止し、これを開閉センサーで検知すると、制御部で施錠具を作動させ、扉が人為的に開放できないようにする。その後、鳥獣類の冷却を開始すると共に、制御部でコンプレッサーを作動させ、ノズルから殺虫剤を噴射する。併せて送風機を作動させ、殺虫剤を内部全体に拡散させる。なおコンプレッサーは、規定量の殺虫剤を送り込むわずかな時間だけ作動させる。
【００１９】
殺虫剤の拡散が進んだ後、制御部で送風機を停止させると、殺虫剤は徐々に沈殿し、鳥獣類の表面にほぼ均等に堆積し、ダニなどの有害生物の大半を死滅させる。なおコンプレッサーや送風機の作動時間は、個々の冷凍設備の規模や形状などに基づき、最適な値を決定する。またコンプレッサーや送風機が作動している間は、施錠具により、扉を開放できない状態を維持する。
【００２０】
殺虫剤が沈殿することなく浮遊した状態で扉を開くと、作業員が不用意に吸引する恐れがあるほか、周辺に生息する昆虫類に影響を及ぼす。そのためコンプレッサーと送風機を停止した後も、監視手段が測定した空気の濁り具合が規定を下回らない限り、施錠具により、扉を開放できないようにする。ただし規定に達すると、制御部からの指令で施錠具を作動させ、扉を開放できるようにする。したがって扉を開放した際は、殺虫剤が床面に沈殿しており、後の作業を安全に進めることができる。
【００２１】
請求項２記載の発明は、作業環境を一段と改善するためのもので、殺虫剤と併せ、ノズルからは消臭剤も噴射することを特徴とする。鳥獣類には、有害生物が寄生しているほか、捕獲から時間が経過するに伴い、激しい腐敗臭も発生し、作業環境が一段と厳しくなる。そこで殺虫剤と併せ、消臭剤も圧縮空気に乗せ、ノズルから噴射することで、腐敗臭が軽減され作業環境も改善する。なお消臭剤についても、氷点下での使用を考慮し、液体ではなく粉状の物を使用する。
【発明の効果】
【００２２】
請求項１記載の発明のように、コンプレッサーやノズルを用い、冷凍設備の内部で殺虫剤を噴射することで、殺虫剤が閉鎖された空間に留まり、その濃度を維持できるため、ダニなどの有害生物が効率的に駆除され、吸血などの身体的被害を防止でき、作業環境が改善される。また殺虫剤で有害生物を駆除することで、冷凍時の温度を過度に低くする必要がなく、電力消費を抑制できるほか、焼却時のエネルギーも増大しない。なお本発明は、主に野生鳥獣の保管を想定しているが、伝染病の発生などにより、家畜類の保管に使用することもあり得る。
【００２３】
さらに、冷凍設備の内部に監視手段を配置し、殺虫剤の浮遊状況をリアルタイムで把握し、必要に応じ扉を施錠することで、扉を開いた際、殺虫剤が不用意に外部に飛散することがない。そのため吸引による健康被害などを防止できるほか、周辺に生息する昆虫類に影響を及ぼすこともない。なお冷凍設備の床面に堆積した殺虫剤は、掃除機などで回収する。
【００２４】
請求項２記載の発明のように、殺虫剤と併せ、ノズルから消臭剤も噴射することで、鳥獣類から発生する腐敗臭を軽減し、作業環境を改善することができる。なお腐敗臭を根源から消滅させることは難しく、ここでの消臭剤は、主にマスキング効果を期待したものである。
【図面の簡単な説明】
【００２５】
【図１】本発明による冷凍設備の構成を示す図である。
【図２】本発明による冷凍設備の運転フローの一例を示す図である。
【発明を実施するための形態】
【００２６】
図１は、本発明による冷凍設備の構成を示している。この冷凍設備は、周辺地域から集められた鳥獣類Ｂを焼却するのに先立ち、一時的に保管するために使用され、この図では鳥獣類Ｂとして野生のニホンジカを想定しており、冷凍設備は大形の据え付け式である。なお本発明による冷凍設備は、焼却施設に隣接して設置することが多いものの、地域の実情によっては、焼却施設から離れた場所に設置することもある。さらに、鳥獣類Ｂを輸送する車両に組み込むこともある。
【００２７】
鳥獣類Ｂは、複数をパレットＰに載せ、フォークリフトで取り扱い、扉３１もこれに合わせた大きさとしてある。なお内部空間を有効に活用するため、実際には所定の間隔を確保しながらパレットＰを上下に積層する。また当然ながら冷凍設備には、冷凍機や熱交換器などが必要となるが、これらは従来と同様であり、図示を省略する。
【００２８】
冷凍設備の内部には、鳥獣類Ｂに寄生したダニなどの有害生物を駆除するため、殺虫剤Ｍを噴射する。併せて、鳥獣類Ｂから発生する腐敗臭を知覚できないよう、消臭剤Ｆも噴射する。これらは混合することなく、殺虫剤タンク１７と消臭剤タンク１９に分離して詰め込まれ、フィーダー１８によって混合筒１６に供給される。フィーダー１８は、外部からの指令により、殺虫剤Ｍや消臭剤Ｆを規定量だけ供給することができる。そして混合筒１６では、左右のフィーダー１８から供給された殺虫剤Ｍと消臭剤Ｆが落下しながら、自然に混ざり合う。なお殺虫剤Ｍと消臭剤Ｆのいずれも、氷点下での使用を考慮し、粉状の物を使用する。
【００２９】
殺虫剤Ｍと消臭剤Ｆは、圧縮空気で内部に送り込まれる。そのため圧縮空気を発生するコンプレッサー１１を備えており、この圧縮空気を送り込む配管１２は、コンプレッサー１１から混合筒１６を経て、冷凍設備の壁面を貫通し、ノズル１３に到達する。なお配管１２は、混合筒１６の最下部を通過させ、その区間に微小な孔を設け、ベンチュリー効果により、殺虫剤Ｍと消臭剤Ｆを配管１２内に引き込む。また混合筒１６は、架台１５に載せられ、冷凍設備の上部に据え付けてある。
【００３０】
配管１２先端のノズル１３は、冷凍設備の天井付近に位置し、下向きに取り付けてある。そのため殺虫剤Ｍや消臭剤Ｆは、浮遊することなく床面に落下する恐れがある。そこでノズル１３の近傍には、拡散ファン２４を配置し、局地的に上昇流を発生させ、浮遊を持続させる。なお拡散ファン２４は、外部の電動機２３で駆動される。さらに殺虫剤Ｍや消臭剤Ｆを内部に広く拡散させるため、送風機２１を設置してある。送風機２１は、ノズル１３周辺の空気を水平方向に押し出す。その結果、内部を循環する流れが生じ、殺虫剤Ｍや消臭剤Ｆは長時間浮遊し、場所による濃度差を解消する。
【００３１】
扉３１の上部には、施錠具３２と開閉センサー３３を設置してある。開閉センサー３３は、扉３１が開放しているか否かを物理的なスイッチで検知する。また施錠具３２は、閉止した扉３１をロックする役割を担い、図では円柱状のロッドを落下させ、扉３１を拘束する。なお施錠具３２は、開閉センサー３３により、扉３１が閉止した場合に限り作動する。そのほか図の扉３１は、左右二枚の観音開きを想定しているが、スライド構造とすることもできる。
【００３２】
冷凍設備の内部には、監視手段４３を設置してある。監視手段４３は空気の透明度を測定するもので、殺虫剤Ｍや消臭剤Ｆが浮遊し続けているか否かの判断に用いる。この図の監視手段４３は、動画を撮影するカメラで、プログラムによる画像処理で、リアルタイムに内部の状況を把握できる。なおカメラを正常に機能させるため、実際には内部に光源も必要となる。
【００３３】
外部には、冷凍設備全体を管理する制御部４１を備えている。制御部４１は、内部にコンピュータが組み込まれ、監視手段４３や開閉センサー３３の情報を常時取得するほか、コンプレッサー１１やフィーダー１８や送風機２１や電動機２３や施錠具３２のほか、冷凍機（図示は省略）など、全ての装置の作動および停止を管理する。さらに制御部４１の前面には、状況表示や操作のため、タッチパネル４２を組み込んである。
【００３４】
使用時はまず扉３１を開放し、鳥獣類Ｂが載せられたパレットＰをフォークリフトなどで内部に搬入する。またいずれかのタイミングで二箇所のフィーダー１８を作動させ、規定量の殺虫剤Ｍと消臭剤Ｆを混合筒１６に供給する。なお殺虫剤Ｍと消臭剤Ｆは、鳥獣類Ｂの量などに応じ、都度適量を供給する。そして作業員が扉３１を閉止すると、これを開閉センサー３３が検知し、制御部４１からの指令で施錠具３２が作動し、扉３１を開放できないようにする。
【００３５】
以降、冷凍機を作動させ、内部の温度を低下させるほか、送風機２１と拡散ファン２４を作動させ、内部に気流を発生させた後、コンプレッサー１１を一定時間だけ作動させ、混合筒１６内の殺虫剤Ｍと消臭剤Ｆの全量をノズル１３から噴射する。殺虫剤Ｍや消臭剤Ｆは、気流に乗って拡散していき、全域に均等に分布した頃を見計らい、送風機２１と拡散ファン２４を停止させる。以降、殺虫剤Ｍや消臭剤Ｆは、自重によって徐々に沈殿し、鳥獣類Ｂの表面のほか、床面に均一に堆積する。
【００３６】
鳥獣類Ｂの表面全体を殺虫剤Ｍで覆い尽くすことで、逃げ場を失ったダニなどの有害生物は次第に死滅する。また監視手段４３により、空気の透明度が回復した段階で施錠具３２を作動させ、扉３１を開放できるようにする。したがって扉３１を開放し、パレットＰを搬出する際は、ダニなどによる身体的被害を受けることがなく、以降の作業を円滑に進めることができる。さらに殺虫剤Ｍが外部に飛散することも防止でき、周辺環境に悪影響を与えることもない。
【００３７】
図２は、本発明による冷凍設備の運転フローの一例を示している。まず作業員が扉３１を開放し、フォークリフトなどで鳥獣類Ｂを内部に搬入し、扉３１を閉止する。これと並行して、搬入される鳥獣類Ｂの頭数などに基づき、噴射する殺虫剤Ｍと消臭剤Ｆの量を決定し、制御部４１からの指令により、二箇所のフィーダー１８を規定時間だけ作動させ、殺虫剤タンク１７と消臭剤タンク１９から規定量を混合筒１６に供給する。なお殺虫剤Ｍと消臭剤Ｆの量は、作業員がタッチパネル４２で指定する場合もあれば、制御部４１のプログラムで決める場合もある。
【００３８】
開閉センサー３３により扉３１の閉止を確認すると、制御部４１により内部の冷却を開始するほか、施錠具３２を作動させ、扉３１を開放できないようにする。その後、送風機２１で内部の空気を循環させ、冷気を全体に到達させる。そしてコンプレッサー１１を所定時間だけ作動させ、混合筒１６の殺虫剤Ｍと消臭剤Ｆの全量をノズル１３から一気に噴射すると、これらが内部の気流に乗り、沈殿することなく浮遊し続ける。
【００３９】
コンプレッサー１１を停止させた後、殺虫剤Ｍと消臭剤Ｆを広く拡散させるため、送風機２１は、所定時間だけ作動を継続させる。この時間は、内部の容積などに基づき、あらかじめ決めておく。そして時間の経過後に送風機２１を停止させると、殺虫剤Ｍと消臭剤Ｆは徐々に沈殿し、鳥獣類Ｂの表面全体を均一に覆い、有害生物を駆除するほか、内部から発散される腐敗臭が知覚できないようになる。
【００４０】
殺虫剤Ｍと消臭剤Ｆの沈殿状況は、監視手段４３によりリアルタイムで測定されており、沈殿が収束した段階で制御部４１より施錠具３２を作動させ、扉３１を開放できるようにする。以降、作業員が扉３１を開放し、内部の鳥獣類Ｂを搬出し、燃焼炉に輸送する。なお殺虫剤Ｍと消臭剤Ｆは粉状で、気流がなければ床面などに堆積する。送風機２１などを停止すると、冷凍設備の内部は無風になり、殺虫剤Ｍや消臭剤Ｆが外部に飛散することはなく、後に業務用掃除機などで回収することができる。
【符号の説明】
【００４１】
１１  コンプレッサー
１２  配管
１３  ノズル
１５  架台
１６  混合筒
１７  殺虫剤タンク
１８  フィーダー
１９  消臭剤タンク
２１  送風機
２３  電動機
２４  拡散ファン
３１  扉
３２  施錠具
３３  開閉センサー
４１  制御部
４２  タッチパネル
４３  監視手段（カメラ）
Ｂ    鳥獣類
Ｆ    消臭剤
Ｍ    殺虫剤
Ｐ    パレット
【図１】
0006370670.tif 000002
【図２】
0006370670.tif 000003